(57)【特許請求の範囲】
【請求項１】
静電植毛加工物を入口から出口に向って高速で通過させて静電植毛加工を行うため入口から出口の間の距離を長くして静電植毛室を構成するとともに、該静電植毛室の静電植毛加工物を通過させる通路に、該通路と平行して、入口側に高い電圧を印加する電極を配し、該電極に続いて出口側に向って該電極に印加する電圧より低く調整した電圧を印加する電極を配したことを特徴とする静電植毛装置を構成する静電植毛室。
【発明の詳細な説明】
【０００１】
【発明の属する技術分野】
本発明は、接着剤層を形成した被植毛加工物（以下ワークと言う）をアース状態で静電植毛室を高速で通過させて静電植毛加工を施し、その後処理として常法に従って乾燥加工を施して植毛製品とする静電植毛装置に関するものである。
【０００２】
【従来の技術】
静電植毛装置の基本的構成は、静電植毛室であるハウジング内に、高圧静電気を放電する植毛電極を絶縁材で支持し、その植毛電極から所定の距離をはなして、植毛電極の上側、或いは下側又は横側に接着剤塗布層を表面に形成した被植毛加工物をアースされた状態で対設し、これをいわゆるワークとし、植毛電極とワークの間に電界を形成し、電界中に形成される電気力線によってハウジング内に舞上がってワークに向かって飛翔する短繊維をワークの接着剤塗布面に植設し、後工程で乾燥して植毛体を造ると言うものである。そのワークは、アースされた棚或いは懸垂具等の器具で支持してアースされた状態とすることもあり、また、該ハウジングの入口から出口に向かって、該ワークを特に支持具を使わずに通過させて移動するように構成することもある。
そして、該ハウジング天井部には、静電植毛作業を行った際該ハウジング内に飛翔する短繊維が該ハウジング外に飛散することを防止するフィルターを配した排気装置が設けられている。
【０００３】
該ハウジングの入口側には、被植毛加工物の表面に接着剤を塗して接着剤層を形成する接着剤塗布装置を配し、該被植毛加工物をワークとしてハウジング内に搬入するようになっている。
【０００４】
また、該ハウジングの出口側には後工程として植毛加工された被植毛加工物を通過させて乾燥させる乾燥装置が配されている。
【０００５】
この乾燥装置は、植毛加工された被植毛加工物に形成された接着剤塗布層の接着剤層を乾燥させる加熱機を備え、被植毛加工物に形成された接着剤塗布層の含有水分を蒸発させて放出する排気口を備えている。
【０００６】
この乾燥装置に続いて製品の回収装置が配されることになっている。
【０００７】
従来から使われている静電植毛装置によって被植毛加工物に対して行う静電植毛加工操作の説明をハウジングの下方に短繊維貯留部を配置した方式、即ち、アップ方式を例にとって説明する。
【０００８】
静電植毛を施す被植毛加工物に対して、ハウジングの入口の手前に配置された接着剤塗布機によって、該被植毛加工物の表面に接着剤を塗布して接着剤塗布層を形成し、いわゆるワークとする。
【０００９】
表面に接着剤塗布層を形成したワークを、アースされた器具に支持してハウジングの入口からハウジング内に配置する。即ち該ワークをアースされた状態でハウジング内に配置する。
【００１０】
このときは、高圧静電気が送電されて植毛電極に高圧静電気が印加されている。従って、アースされたワークと植毛電極との間には植毛電極から該ワークに向う電気力線を発生させる電界が生じる。
この現象によって、ハウジング内の貯留部に貯留された短繊維は、ハウジング内に舞上がる。そしてワークに向かって飛翔する。
【００１１】
この舞上げを効率的にするためと、舞上がった短繊維をワークに向かう飛翔性をよくするため外部から加湿エアーを貯留部に吹き込み、貯留部に貯留された短繊維に湿気を与える。これによって、ハウジング内に舞上がった短繊維は、植毛電極を通過する際、帯電してワークに向って勢いよく飛翔する。そして、該ワークの表面に塗布された接着剤塗布層に短繊維の先端を突き刺すことになる。そしてその接着剤塗布層の表面にまんべんなく均一の植毛を行うと言うものである。
【００１２】
ハウジング内に舞上って天井部に達した余分な短繊維は、ハウジングの天井部に配されたフィルターによって捕捉され、加湿エアーは排気装置から排気される。
【００１３】
この操作を終った加工物をハウジングの出口から加熱機を備えた乾燥機を通過させることによって接着剤塗布層を形成する接着剤中の含有水分を蒸発させ乾燥させ、前記状態で短繊維を該ワークにしっかりと植え付ける。
【００１４】
この作業を行った加工物を回収する。
【００１５】
静電植毛作業はワークの表面に形成した接着剤塗布層に短繊維をまんべんなく均一の密度で直立状態で植毛を行うために、余分な短繊維を付着しないように、また、余分な電力を消費しないように、更に余分な時間をかけないようにと言う諸条件を考慮して、この諸条件を充足する状態の下で行われる。
【００１６】
前記した従来型の植毛装置の静電植毛室であるハウジング（図示しない）に何らの工夫を施さない状態で、接着剤塗布層を形成したワークをアースされた状態で所定の速度より高速でハウジング内を通過させて植毛作業時間を極力短縮して作業効率を向上させようとしても、前記諸条件を充足した状態下で行った作業で作られる製品と同じような製品を造ることはできない。これを図１に示す。図１に示す現象が生じる理由は、該ワーク１を高速で静電植毛室であるハウジング内を通過させることにより静電植毛室であるハウジング内で植毛電極４と該ワーク１との対向時間が短縮されることになるからである。このことは、均一の植毛状態を得るためには、ワーク１を植毛電極４との間に出来る電界中に所定の時間をかけて置いておかなければならないと言う条件を欠くことになるからである。更に、該ワーク１の表面に予定されてない空気抵抗がかかる現象が生じ、また、ワーク１の接着剤塗布層面に直角に先端を突き差すように飛翔する短繊維３は、慣生によって後端がワークの反移動方向に倒れた状態、即ち、図１に示すとおりワークの反移動方向に傾斜した状態で植設されることになる。要するに、ハウジング内を高速でワーク１を通過させることは、該ワーク１に植設される短繊維３の量が少ない状態で植設することになり、従って良好な植毛状態の製品ができないと言う不都合が生じる。
【００１７】
そこで、これらの不都合に対処するための対策として、電極に普通より高い高圧電気を印加し、ワークと電極との間に強力な電界を形成し、強力な電気力線を発生させて、強力に短繊維をワークに向かって飛翔させ、ワークの接着剤層にその先端を深く刺し込ませることも考えられるが、この方法では、余計な電力、短繊維を使用することになり、電力、短繊維の消費量が重なるばかりでなく、要求品質の植毛面が得られないと言う不都合が生じる。
【００１８】
また、この装置に併設する乾燥装置も従来のままでは加工物の通過速度が早いため良好な乾燥ができないと言う不都合が生じる。
【００１９】
【発明が解決しようとする課題】
本発明は、植毛作業効率を向上するため、静電植毛装置の静電植毛室であるハウジングに工夫を施し、表面に接着剤層を形成した静電植毛加工物であるワークを、静電植毛装置のハウジング内並にこれに併設する乾燥装置内を高速通過させ、しかも、従来製品と同様に、その表面にはまんべんなく均一の密度で直立状態の植毛を行った植毛製品を得られる技術を提供しようとするものである。
【００２０】
【課題を解決するための手段】
静電植毛加工物を入口から出口に向って高速で通過させて静電植毛加工を行うため入口から出口の間の距離を長くして静電植毛室を構成するとともに、該静電植毛室の静電植毛加工物を通過させる通路に、該通路と平行して、入口側に高い電圧を印加する電極を配し、該電極に続いて出口側に向って該電極に印加する電圧より低く調整した電圧を印加する電極を配した構成とした。
【００２１】
【実施例】
まず、アップ型静電植毛装置を例にとって本発明の概要を説明する。
図中２は、表面に接着剤を塗布して接着剤層２を形成した静電植毛加工物であるワーク１の下側に植毛電極５，６を配置し、下方向から短繊維を植設するアップ型静電植毛装置を構成する静電植毛室であるハウジング内で行われる植毛加工を示す。
そのハウジングには、表面に接着剤を塗布して接着剤層２を形成したワーク１をアースした状態で通過するワークの入口と出口を設け、天井側にはフィルターを設けた排気装置が設けられている。
ハウジングの底部には短繊維貯留部が構成されている。この短繊維貯留部には、ハウジングの外部に設置された加湿空気供給装置から短繊維貯留部に貯留された短繊維を加湿させてハウジング内に舞上げる加湿空気を吹き出す吹き出し口が配置されている。
また、短繊維貯留部の上方には、いわゆる植毛電極を配置されている。
【００２２】
その植毛電極は、ハウジングの入口側に高い電圧を印加する植毛電極５を配し、この電極に隣接してハウジングの出口側寄りに通常の強さの電圧を印加する植毛電極６を配する。
【００２３】
ハウジングの出口に続けて、ワーク１を通過させながら乾燥させる乾燥装置が配されている。この乾燥装置には加熱機が配されている。また、乾燥装置には排気口と乾燥空気吹込口が配されている。
【００２４】
次に前記静電植毛装置を稼働して行う植毛加工について説明する。
高い電圧を印加する植毛電極５に高圧静電気を送電する発生機、通常の強さの電圧を印加する植毛電極６に高圧静電気を送電する発生機をそれぞれ稼働して、前記各電極５，６にそれぞれ送電する。
【００２５】
加湿空気供給装置を稼働して、短繊維貯留部に吹き出し口から加湿空気を吹き込む。
この操作により、短繊維貯留部に貯留された短繊維はハウジング内に舞い上がる。
【００２６】
この状態下でワーク１をアースされた状態でハウジングの入口から出口に向かって速い速度で通過させる。
【００２７】
ワーク１がハウジング内を速い速度で通過する過程で、植毛電極である高い電圧を印加する植毛電極５，通常の強さの電圧を印加する植毛電極６の間にワーク１に向った電気力線を生ずる電界を形成する放電現象が発生することになる。
【００２８】
即ち、この放電現象はハウジングの入口の近くに配した高い電圧を印加する植毛電極５とワーク１の間には強い電界が生じ、該電極５からワーク１に向った強い電気力線が生じる。
従って、ワーク１が該電極５上を通過する際、ハウジング内に舞上った短繊維３Ａはその先端を強い力でワーク１の接着剤層２に突き刺さることになる。即ち短繊維３Ａは、その先端をワーク１の接着剤層２に深く突き刺さることになる。換言すればワーク１の接着剤層２にしっかりと電気力線の指向する方向に垂直に突き刺さることになる。
この現象は、ワーク１を速い速度でハウジング内を移動させる状態下でも、それに対応する高電圧を該電極５に印加すれば実現できる。
【００２９】
この状態で、短繊維３Ａを植毛させたワーク１が該電極５を配置した個所を通過して、通常の強さの電圧を印加する電極６上を通過するときは、その通過時にワーク１と通常の強さの電圧を印加する電極６の間で通常の強さの電気力線を生ずる電界が形成されることになる。この電界内でワーク１に向って飛翔する短繊維３Ｂは、ワーク１が前記高い電圧を印加する植毛電極５の配置個所を通過時にしっかりと垂直に植設された短繊維３Ａの間に、該短繊維３Ａを支えとして入り込んで植設される。即ち、図１に示した植毛状態とはならず、直立状態で植毛される。
この通常の強さの電圧を印加する電極６に対する送電は、上記機能を発揮するのに見合う電圧の静電気を送電することは勿論である。
【００３０】
この作業の終わったワークは、ハウジングに隣接する乾燥装置内を通過させる。乾燥装置を前記作業を終わったワークを通過させる際、乾燥装置内を乾燥させる加熱機によって乾燥装置内を通過させるワークに塗布された接着剤層を形成する接着剤の含有水分を排気口から排気して蒸発させることになる。
その蒸発を促進させるため、乾燥空気を乾燥空気吹込装置を併設して乾燥装置内のワーク植毛面に乾燥空気を流す。
これによって、ワークの表面蒸気圧はより接着剤の含有水分の蒸発を促進し乾燥を早めることができる。
【００３１】
以上の説明は、ワークをアース状態でハウジング内で移動しながら植毛を施し、その作業後これを乾燥装置内を移動しながら乾燥する状態を説明したが、前記ワークは懸垂具によって懸垂して、或はベルトコンベアーに載せてハウジングから乾燥装置に移動させる場合に限らず、送り出し装置に装着した長尺の植毛加工物を帯状のワークとして、これをアース状態でハウジング内を通過移行させハウジング内で静電植毛加工を施した後乾燥装置内を移動させ巻き取り装置に巻き取って製品とするときも共通して実施できる。
勿論、本発明の植毛電極の配置についての考え方は植毛電極をワークの下方に配置するアップ型に限らず植毛電極をワークの上方に配置するダウン型、植毛電極をワークの横側に配置するサイド型の静電植毛装置のハウジングに配する植毛電極にも通用する。
【００３２】
【発明の効果】
本発明は、以上のように構成されているので、ワークを高速でハウジング内を通過させて垂直の植毛状態の製品を作る静電植毛を行うことができる。
【図面の簡単な説明】
【図１】従来の静電植毛室を高速通過させたときの植毛加工物に植設される短繊維の植毛状態を示す説明図。
【図２】本件発明を実施した静電植毛室を高速通過させたときの植毛加工物に植設される短繊維の植毛状態を示す説明図。
【符号の説明】
１．ワーク
２．接着剤層
３．３Ａ．３Ｂ．短繊維
４．植毛電極
５．６．    電極
【図１】
0003848977.tif 000002
【図２】
0003848977.tif 000003